(57)【要約】      （修正有）【課題】スイッチ及び取り外し可能なアイライン液管を提供する。【解決手段】キャップ１０と外管２０を含むアイライナーであって、当該外管の下端にはスイッチが設けられ、前記外管の上端には芯管４０が設けられ、前記芯管と前記外管はネジ連結又はスナップ連結され、その一部は前記外管の外側に露出し、他の一部は前記外管に伸び、当該他の一部には取り外し可能にアイライン液管が連結され、当該アイライン液管は前記外管内部で、前記芯管と前記スイッチとの間に位置する。【選択図】図7
0003223948.tif 000002
【実用新案登録請求の範囲】
【請求項１】
キャップと外管を含むアイライナーであって、当該外管の下端にはスイッチが設けられ、前記外管の上端には芯管が設けられ、前記芯管と前記外管はネジ連結又はスナップ連結され、その一部は前記外管の外側に露出し、他の一部は前記外管に伸び、当該他の一部には取り外し可能にアイライン液管が連結され、当該アイライン液管は前記外管内部で、前記芯管と前記スイッチとの間に位置する、ことを特徴とするアイライナー。
【請求項２】
前記芯管内には連結管が設けられ、前記アイライン液管は、材料管と前記材料管の液体出口端に固定して設けられる変形可能な保護管を含み、前記変形可能な保護管は前記芯管に挿入され、前記連結管は前記変形可能な保護管に挿入され、前記連結管と前記変形可能な保護管には互いにマッチングするスナップフィットとスナップスロットが設けられる、ことを特徴とする請求項１に記載のアイライナー。
【請求項３】
前記変形可能な保護管内部には剛球が設けられ、剛球はその内壁と密封嵌合される、ことを特徴とする請求項２に記載のアイライナー。
【請求項４】
前記芯管の一端にはペン先が挿入され、前記芯管内にはスロットル弁とペン芯が設けられ、前記連結管と前記ペン先はそれぞれ前記スロットル弁の両側に設けられ、前記ペン芯は前記連結管と前記スロットル弁を通り抜けて、その一端は前記変形可能な保護管に挿入され、他の一端は前記ペン先に挿入される、ことを特徴と請求項３に記載のするアイライナー。
【請求項５】
前記芯管の外壁には外リングが設けられ、前記芯管は前記外管に装着された後、当該外リングは前記外管をキャップする、ことを特徴とする請求項３に記載のアイライナー。
【請求項６】
請求項３において、前記キャップ内部にはペン口が設けられ、前記ペン口は前記芯管の前記外管に露出する前記外管部分とスナップ連結される、ことを特徴とするアイライナー。
【請求項７】
前記使用開始スイッチは押圧キャップを含み、当該押圧キャップにはエジェクタピンが設けられ、前記押圧キャップを押し付けて前記外管内にスライディングさせ、前記エジェクタピン押し付けて前記材料管を前記連結管方向に移動させ、前記連結管を反対方向に前記剛球を押し付けて、前記変形可能な保護管を開いて、前記剛球との間でシールド連結されて、前記材料管と前記連結管を連通する、ことを特徴とする請求項３に記載のアイライナー。
【請求項８】
前記押圧キャップには当該エジェクタピンの周囲に複数のスプリングチップが設けられ、隣接するスプリングチップの間にはノッチスロットが設けられ、前記スプリングチップと前記外管には互いにマッチングする第１スナップリングと第２スナップリングが設けられる、ことを特徴とする請求項７に記載のアイライナー。
【考案の詳細な説明】
【技術分野】
【０００１】
本考案は化粧品の技術分野に関し、詳しくは、アイライナーに関する。当該アイライナーはスイッチ及び取り外し可能なアイライン液管を有する。
【背景技術】
【０００２】
アイライナーは、女性が日常化粧によく使う道具の一つである。出願番号がCN201621144745.6であり名称がアイライナーである中国実用新案の出願はアイライナーを公開する。前記アイライナーはアイライナー外管、アイライナー外管内に設けられるアイライン液管、アイライン液管内に充填されるアイライン液を含み、アイライナー外管のテール部にはトップキャップが設けられ、トップキャップにはエジェクタピンが設けられ、エジェクタピンはアイライン液管のトップ面を支え、アイライナー外管のテール部にはリミット構造が設けられ、アイライン液管の出口には液体出口保護装置が設けられ、アイライナー外管のボトムには内管が設けられ、内管にはスロットル弁が設けられ、スロットル弁と液体出口保護装置との間には中空の連結棒が設けられ、使用時リミット構造を取り除いて、トップキャップ上のエジェクタピンを押し付けて下に動かしてアイライン液管のトップ面を押し付け、連結棒は液体出口保護装置を押し付けて、アイライン液管と連結棒を連通させて、アイライン液がアイライン液管内部で連結棒を通してスロットル弁に流れ出すようにする。消費者が使用する前に、液体出口保護装置はアイライン液管の出口においてシール機能を果たし、アイライナー中のアイライン液が輸送中に漏れないようにしているが、長期間保管すると乾燥して液体出口通路が詰まるなどの問題が発生し易い。
【０００３】
しかし、既存のアイライナーのアイライン液管内に存在するアイライン液は、アイライン液を使い切ると、アイライナー全体が廃棄され、廃棄するしかない。我が国だけでアイライナーの年間消耗量は２億本にも達し、これによって莫大な浪費が生じ、社会的生産コストや原料消耗及び人件費を増加させ、現在の省エネ・環境保全の理念に適合しない。そのため、従来技術に存在する欠点を解決でき、繰り返して使用できるアイライナーの研究開発が急務となっている。
【考案の概要】
【考案が解決しようとする課題】
【０００４】
従来技術に存在する欠点を克服するために、本考案はアイライン液を使い切った後、外管とライナー芯管を取り外して、直接ライナー芯管に設けられたアイライン液管を交換することによって、引き続き使用でき、便利且つ簡単で、原価を削減できる。前記アイライナーにはまたスイッチもあり、当該スイッチは消費者がアイライナーを使用する前にアイライナー内部のアイライン液を保護し、アイライン液が漏れないようにし、長期間保管すると乾燥して液体出口通路を塞ぐ問題を回避することができる。
【課題を解決するための手段】
【０００５】
アイライナーはキャップと外管を含み、当該外管の下端にはスイッチが設けられ、前記外管の上端には芯管が設けられ、前記芯管と前記外管はネジ連結又はスナップ連結され、その一部は前記外管の外側に露出し、他の一部は前記外管に伸び、当該他の一部は取り外し可能にアイライン液管が連結され、当該アイライン液管は前記外管内部において、前記芯管と前記スイッチとの間に位置する。
【０００６】
前記芯管内には連結管が設けられ、前記アイライン液管は、材料管と前記材料管の液体出口端に固定して設けられる変形可能な保護管を含み、前記変形可能な保護管は前記芯管に挿入され、前記連結管は前記変形可能な保護管に挿入され、前記連結管と前記変形可能な保護管には互いにマッチングするスナップフィットとスナップスロットが設けられる。
【０００７】
前記変形可能な保護管内部には剛球が設けられ、剛球はその内壁と密封嵌合される。
【０００８】
前記芯管の一端にはペン先が挿入され、前記芯管内にはスロットル弁とペン芯が設けられ、前記連結管と前記ペン先はそれぞれ前記スロットル弁の両側に設けられ、前記ペン芯は前記連結管と前記スロットル弁を通り抜けて、その一端は前記変形可能な保護管に挿入され、他の一端は前記ペン先に挿入される。
【０００９】
前記芯管の外壁には外リングが設けられ、前記芯管は前記外管に装着された後、当該外リングは前記外管をキャップする。
【００１０】
前記キャップ内部にはペン口が設けられ、前記ペン口は前記芯管の前記外管に露出する前記外管部分とスナップ連結される。
【００１１】
前記使用開始スイッチは押圧キャップを含み、当該押圧キャップにはエジェクタピンが設けられ、前記押圧キャップを押し付けて前記外管内にスライディングさせ、前記エジェクタピンを押し付けて前記材料管を前記連結管方向に移動させ、前記連結管を反対方向に前記剛球を押し付けて、前記変形可能な保護管を開いて、前記剛球との間でシールド連結され、材材料管と前記連結管を連通する。
【００１２】
前記押圧キャップには当該エジェクタピンの周囲に複数のスプリングチップが設けられ、隣接するスプリングチップの間にはノッチスロットが設けられ、前記スプリングチップと前記外管には互いにマッチングする第１スナップリングと第２スナップリングが設けられる。
【考案の効果】
【００１３】
本考案のアイライナーは、取り外し可能なアイライン液管を設けることによって、一本のアイライン液を使い切った後、アイライン液管を交換することによって、引き続き使用でき、浪費を避け、コストを削減することができる。スイッチを設けることによって、アイライナー中のアイライン液を保護し、アイライナーが使用されていないとき、アイライン液が漏れないようにし、長期間保管する時に乾燥して液体出口通路を塞ぐ問題を回避することができる。
【図面の簡単な説明】
【００１４】
【図１】本考案アイライナーの構造を示す略図である。
【図２】本考案アイライナーの分解構造を示す略図である。
【図３】本考案アイライン液管の分解構造を示す略図である。
【図４】本考案アイライナーのもう一つの分解構造を示す略図であり、当該図にはキャップと外管が示されていない。
【図５】本考案アイライナーのもう一つの構造を示す略図である。
【図６】本考案の起動構造の分解構造を示す略図である。
【図７】１A-Aラインに沿った断面図である。
【考案を実施するための形態】
【００１５】
本考案の目的、技術的手段及び技術的効果をより一層明らかにするために、以下具体的な形態と結合して、本考案についてさらに詳しく説明する。ここで説明されている最良の形態は本考案を解釈するためのものに過ぎず、本考案を限定するものではない。
【００１６】
図１、図５、図７を参照すると、アイライナーは外管２０とキャップ１０を含み、前記キャップ１０は外管２０のペン先を保護し、当該外管２０の下端にはスイッチ７０が設けられ、前記スイッチ７０は外管２０内のアイライン液を保護し、開封・使用する前にアイライン液が流れ出さないようにする。
【００１７】
図２と図７を参照すると、前記外管２０の上端には芯管４０が設けられ、前記芯管４０と前記外管２０はネジ連結又はスナップ連結され、その一部は前記外管２０の外側に露出し、他の一部は前記外管２０に挿入されている。本考案の一つの実施例において、前記芯管４０の外壁中部にはオスネジ４１が設けられ、前記外管２０の上端の内壁にはメスネジ２４が設けられ、当該オスネジ４１と当該メスネジはフィット連結される。本考案のもう一つの実施例において、前記芯管４０の外壁中部と前記外管２０の上端の内壁にはそれぞれ締まり嵌めのスナップ連結となっている（図示せず）。前記芯管４０の他の一部は取り外し可能にアイライン液管３０が連結され、当該アイライン液管３０は前記外管２０の中に収容され、前記芯管４１とスイッチの間に位置する。当該アイライン液管３０内にはアイライン液が入る。前記アイライン液管３０内のアイライン液を使い切ると、前記芯管４０を回転又は引き出して、前記外管２０と分離させ、前記芯管４０から古い前記アイライン液管３０を取り外して、新しい前記アイライン液管３０に交換することによって、前記アイライナーの重複使用を実現する。当該構想はアイライン液を使い切った後、アイライナー全体が廃棄されて生じる浪費を防ぐことができる。
【００１８】
図３と図７を参照すると、前記アイライン液管３０は材料管３１と前記材料管３１の液体出口端に固定して設けられる変形可能な保護管３２を含み、前記材料管３１の中にはアイライン液が保存され、前記変形可能な保護管３２の中には剛球３３が設けられ、剛球３３はその内壁と密封嵌合され、アイライン液が前記材料管３１から流出しないようにする。
【００１９】
前記芯管４０の一端にはペン先５０が挿入され、当該ペン先５０はアイラインを描く用途に使われる。
【００２０】
図４と図７を参照すると、前記芯管４０の中には連結管４２、スロットル弁４３とペン芯４４が設けられる。前記連結管４２と前記ペン先５０はそれぞれ前記スロットル弁４３の両側に設けられ、前記ペン芯４４は前記連結管４２と前記スロットル弁４３を通り抜け、その一端は前記変形可能な保護管３２に挿入され、他の一端は前記ペン先５０に挿入される。
【００２１】
前記アイライン液管３０を交換するとき、前記変形可能な保護管３２は前記芯管４０の中に挿入され、前記連結管４２も前記変形可能な保護管３２に挿入され、前記連結管４２は前記剛球３３を前記材料管３１の方向に押し付けて移動させることによって、前記変形可能な保護管３２と前記剛球３３との間のシールド連結を破り、前記材料管３１と前記連結管４２を連通させ、アイライン液が前記材料管３１から前記ペン芯４４に流れ込むようにする。
【００２２】
前記変形可能な保護管３２の外壁と前記連結管４２の内壁にはそれぞれ締まり嵌めのスナップスロット３２１とスナップリング４２１が設けられ、両者はスナップ連結される。なお、前記スナップスロットが前記変形可能な保護管３２の外壁上に設けられるとき、その対応する前記スナップリングは前記連結管４２の内壁に設けられる。前記スナップリングが前記変形可能な保護管３２の外壁上に設けられるとき、その対応するスナップスロットは前記連結管４２の内壁に設けられる。前記芯管４０と前記アイライン液管３０を取り外す必要がある時には、前記スナップリングと前記スナップスロットとの抵抗を克服して、前記変形可能な保護管３２と前記連結管４２を分離させればよい。
【００２３】
前記ペン芯スロットル弁４３は前記芯管４０と前記ペン芯４４との間に設けられ、アイライン液の流量を調節して、アイライン液の流出が多過ぎて、使用上の不便と浪費を来さないようにする。
前記芯管４０の外壁には外リング４５も設けられ、前記芯管４０と前記外管２０は装着された後、当該外リング４５は前記外管２０をキャップする。
【００２４】
前記キャップ１０の中にはペン口６０が設けられ、前記ペン口６０の内壁は前記芯管４０が前記外管２０から露出する部分の外壁とマッチングし、両者はスナップ連結される。
【００２５】
図６と図７を参照すると、前記外管２０の下端には前記スイッチ７０も設けられている。前記スイッチ７０は押圧キャップ７１を含み、当該押圧キャップ７１にはエジェクタピン７２が設けられる。
【００２６】
前記アイライナーを使用し始めるとき、前記押圧キャップ７１を押し付けて前記外管２０に入り、前記エジェクタピン７２は前記連結管４２方向に前記材料管３１を押し付け、前記連結管４２は反対方向に前記剛球３３を押し付けて、前記剛球３３と前記変形可能な保護管３２との間の密封嵌合を破ることによって、前記連結管４２と前記材料管３１を連通させて、アイライン液が前記材料管３１から前記ペン芯４４に流れるようにする。
【００２７】
前記押圧キャップ７１には当該エジェクタピン７２の周囲に複数のスプリングチップ７３が設けられ、隣接するスプリングチップ７３の間にはノッチスロット７４が設けられ、前記スプリングチップ７３と前記外管２０には互いにマッチングする第１スナップリング７５と第２スナップリング２５が設けられる。前記押圧キャップ７１が前記外管２０に入ると、前記第１スナップリング７５は前記第２スナップリング２５を押し付けて、前記スプリングチップ７３が前記エジェクタピン７２に集まるようにし、前記押圧キャップ７１が前記外管２０に入ると、前記第１スナップリング７５と第２スナップリング２５はスナップ連結され、これによって前記押圧キャップ７１は前記外管２０から滑り出さなくなる。
【００２８】
前記スイッチ７０の機能：前記アイライナーが出荷されて開封使用するまで、アイライン液は材料管３１中に保管され、前記変形可能な保護管３２と剛球３３中に密封され、運送中、前記アイライン液は前記材料管３１から流出せず、アイライン液の浪費と汚染が発生しないようにする。消費者の手に運送されると、消費者は前記使用開始スイッチ７０を押すだけで外管２０に入ることができ、前記材料管３１と前記ペン芯４４との間を連結して、アイライン液がペン先に流れるようにして、正常に使用する。
【００２９】
上記内容は具体的な好ましい実施形態と結合して、本考案に対して行われたより詳しい説明であり、本考案の具体的な実施形態はこれらの説明に限定されるものと理解してはならない。当業者であれば、本考案の構想を前提として、その構造形式を多様化させて、一連の製品を導き出すことができる。幾つかの簡単な導出または置換などは、いずれも本考案によって提供される実用新案登録請求の範囲に定められた保護範囲に属する。
【図１】
0003223948.tif 000003
【図２】
0003223948.tif 000004
【図３】
0003223948.tif 000005
【図４】
0003223948.tif 000006
【図５】
0003223948.tif 000007
【図６】
0003223948.tif 000008
【図７】
0003223948.tif 000009
【手続補正書】
【提出日】令和1年9月6日(2019.9.6)
【手続補正１】
【補正対象書類名】実用新案登録請求の範囲
【補正対象項目名】全文
【補正方法】変更
【補正の内容】
【実用新案登録請求の範囲】
【請求項１】
キャップと外管を含むアイライナーであって、当該外管の下端にはスイッチが設けられ、前記外管の上端には芯管が設けられ、前記芯管と前記外管はネジ連結又はスナップ連結され、その一部は前記外管の外側に露出し、他の一部は前記外管に伸び、当該他の一部には取り外し可能にアイライン液管が連結され、当該アイライン液管は前記外管内部で、前記芯管と前記スイッチとの間に位置する、ことを特徴とするアイライナー。
【請求項２】
前記芯管内には連結管が設けられ、前記アイライン液管は、材料管と前記材料管の液体出口端に固定して設けられる変形可能な保護管を含み、前記変形可能な保護管は前記芯管に挿入され、前記連結管は前記変形可能な保護管に挿入され、前記連結管と前記変形可能な保護管には互いにマッチングするスナップフィットとスナップスロットが設けられる、ことを特徴とする請求項１に記載のアイライナー。
【請求項３】
前記変形可能な保護管内部には剛球が設けられ、剛球はその内壁と密封嵌合される、ことを特徴とする請求項２に記載のアイライナー。
【請求項４】
前記芯管の一端にはペン先が挿入され、前記芯管内にはスロットル弁とペン芯が設けられ、前記連結管と前記ペン先はそれぞれ前記スロットル弁の両側に設けられ、前記ペン芯は前記連結管と前記スロットル弁を通り抜けて、その一端は前記変形可能な保護管に挿入され、他の一端は前記ペン先に挿入される、ことを特徴と請求項３に記載のするアイライナー。
【請求項５】
前記芯管の外壁には外リングが設けられ、前記芯管は前記外管に装着された後、当該外リングは前記外管をキャップする、ことを特徴とする請求項３に記載のアイライナー。
【請求項６】
請求項３において、前記キャップ内部にはペン口が設けられ、前記ペン口は前記芯管の前記外管に露出する前記外管部分とスナップ連結される、ことを特徴とするアイライナー。
【請求項７】
前記スイッチは押圧キャップを含み、当該押圧キャップにはエジェクタピンが設けられ、前記押圧キャップを押し付けて前記外管内にスライディングさせ、前記エジェクタピンを押し付けて前記材料管を前記連結管方向に移動させ、前記連結管を反対方向に前記剛球を押し付けて、前記変形可能な保護管を開いて、前記剛球との間でシールド連結されて、前記材料管と前記連結管を連通する、ことを特徴とする請求項３に記載のアイライナー。
【請求項８】
前記押圧キャップには当該エジェクタピンの周囲に複数のスプリングチップが設けられ、隣接するスプリングチップの間にはノッチスロットが設けられ、前記スプリングチップと前記外管には互いにマッチングする第１スナップリングと第２スナップリングが設けられる、ことを特徴とする請求項７に記載のアイライナー。